(57)【要約】【課題】入浴者特有の入浴状態の判定が実施可能で、入浴時の安全支援の改善が図れる入浴状態検出装置を提供する。【解決手段】記憶部に記憶される複数の入浴パターン学習情報は、入浴者情報を複数の入浴パターンに分類して、複数のグループに分類される学習情報である。制御装置は、複数のグループの中から、現在の入浴者から検出される入浴者情報に適合するグループを抽出する（ステップ１０３Ａ）。判定部は、抽出したグループに対応する入浴パターン学習情報に基づいて現在の入浴者に異常が発生しているか否かを判定する（ステップ１０８Ａ、ステップ１０９）。【選択図】図４
2015207282.tif 000002
【特許請求の範囲】
【請求項１】
浴槽（８０）の水位を検出する水位検出手段（６６）と、
入浴者がいるときの、前記浴槽の水位上昇量と、入浴開始時刻、入浴終了時刻及び入浴時間の少なくとも一つとを含む入浴者情報を学習して得られる入浴パターン学習情報を記憶する記憶部（４０２）と、
前記記憶部に記憶されている複数の前記入浴パターン学習情報の中から、現在入浴している入浴者に適合する前記入浴パターン学習情報を抽出し、前記抽出した入浴パターン学習情報に基づいて前記現在の入浴者に異常が発生しているか否かを判定する判定部（４０１）と、
を備えることを特徴とする入浴状態検出装置。
【請求項２】
複数の前記入浴パターン学習情報は、前記入浴者情報を複数の入浴パターンに分類して、複数のグループに分類される学習情報であり、
前記判定部は、前記複数のグループの中から、前記現在の入浴者から検出される前記入浴者情報に適合するグループを抽出し、前記抽出したグループに対応する前記入浴パターン学習情報に基づいて前記現在の入浴者に異常が発生しているか否かを判定することを特徴とする請求項１に記載の入浴状態検出装置。
【請求項３】
前記判定部は、前記抽出したグループに含まれる前記入浴者情報のうち最も短い入浴時間よりも前記現在の入浴者の入浴時間が長くなった場合に、前記現在の入浴者に異常が発生していると判定することを特徴とする請求項２に記載の入浴状態検出装置。
【請求項４】
前記記憶部は、水位センサ（６６）によって検出される水位レベルが入浴前の水位レベル以下になったときの時刻を入浴終了時刻として記憶し、さらに入浴開始から入浴終了までに要した時間を入浴時間として記憶し、さらに入浴前に対する入浴後の水位上昇量を記憶し、
さらに前記記憶部は、前記入浴時間の間に定期的に取得した水位レベルの検出値を用いて算出した水位変化の度合いまたは水位変化無し時間を前記入浴パターン学習情報として記憶することを特徴とする請求項１または請求項２に記載の入浴状態検出装置。
【請求項５】
前記判定部が前記現在の入浴者の異常発生を判定すると、浴室に設置された浴室内コントローラ（４１）及び前記浴室の外部に設置された浴室外コントローラ（４２）に対して通報し、前記浴室内コントローラまたは前記浴室外コントローラからの応答がない場合は、前記浴槽内の水を排水することを特徴とする請求項１から請求項４のいずれか一項に記載の入浴状態検出装置。
【請求項６】
前記判定部が前記現在の入浴者の異常発生を判定すると、浴室に設置された浴室内コントローラ（４１）及び前記浴室の外部に設置された浴室外コントローラ（４２）に対して通報し、
さらに前記異常発生を判定した後、予め定めた一定時間が経過し、前記浴室内コントローラまたは前記浴室外コントローラからの応答がない場合は、前記浴槽内の水を排水することを特徴とする請求項３に記載の入浴状態検出装置。
【請求項７】
前記判定部が前記抽出したグループに含まれる前記入浴者情報のうち、過去の入浴時間、入浴開始時刻、入浴終了時刻の少なくとも一つの履歴を、浴室に設置された浴室内コントローラ（４１）及び前記浴室の外部に設置された浴室外コントローラ（４２）に表示することを特徴とする請求項２、請求項３、請求項６のいずれか一項に記載の入浴状態検出装置。
【請求項８】
前記判定部が前記抽出したグループに含まれる前記入浴者情報のうち最も短い入浴時間を表示する、浴室に設置された浴室内コントローラ（４１）及び前記浴室の外部に設置された浴室外コントローラ（４２）を備え、
前記判定部によって前記現在の入浴者の異常有無を判定する際に用いられる前記最も短い入浴時間を変更可能な判定時間変更部（４１１，４２１）を前記浴室内コントローラ及び前記浴室外コントローラに備えることを特徴とする請求項３、請求項６、請求項７のいずれか一項に記載の入浴状態検出装置。
【請求項９】
前記記憶部は、水位センサ（６６）によって検出される水位レベルが入浴前の水位レベル以下になったときの時刻を入浴終了時刻として記憶し、さらに入浴開始から入浴終了までに要した時間を入浴時間として記憶し、
さらに前記記憶部は、前記入浴時間の間に定期的に取得した水位レベルの検出値を用いて算出した入浴中の水位上昇量を前記入浴パターン学習情報として記憶し、
前記入浴パターン学習情報は、前記入浴者情報を複数の入浴パターンに分類して、複数のグループに分類される学習情報であり、
前記判定部は、前記複数のグループの中から、前記現在の入浴者から検出される前記入浴者情報に適合するグループを抽出し、前記現在の入浴者について検出された水位上昇量が前記抽出したグループに含まれる前記水位上昇量よりも所定量以上大きくなった場合に、前記現在の入浴者に異常が発生していると判定し、異常発生の旨を浴室に設置された浴室内コントローラ（４１）及び前記浴室の外部に設置された浴室外コントローラ（４２）に報知することを特徴とする請求項１に記載の入浴状態検出装置。
【発明の詳細な説明】
【技術分野】
【０００１】
本発明は、浴槽に入っている入浴者の異常な状態を検出する入浴状態検出装置に関する。
【背景技術】
【０００２】
特許文献１に記載の装置は、人が入浴中に、水位センサを用いて浴槽の湯の水位を計測し、人体水没体積を算出し、さらに波センサを用いて湯を伝達する波に関する物理量を測定しその物理量に基づいて入浴者の動きを算出する。当該装置は、人体水没体積が適正でない値である場合に、入浴者の動きが所定の動きよりも小さいときには、動きが小さくなった時刻からの経過時間が「警告」に対応する所定時間を超えると、浴室リモコンから警報音を発生させる。入浴者が浴室リモコンの反応ボタンを操作した場合、その操作があった時刻からの経過時間が、予め定める湯温に対応させた経過時間を超えたときに家庭インターホンから警報音を発生し、入浴者が危険状態であることを介護者サービス端末に通知する。さらに通知後、浴槽の水位が安全水位まで下がるまで浴槽水を排水する。
【先行技術文献】
【特許文献】
【０００３】
【特許文献１】特開２０１１−２４８４２２号公報
【発明の概要】
【発明が解決しようとする課題】
【０００４】
しかしながら、特許文献１の装置では、現在の入浴者が誰であるかを判定した上で、入浴者の状態を検出していない。このため、実際の入浴者の癖、習慣等の入浴者特有の状態を検出することができないという点について、改善の余地がある。
【０００５】
本発明は、上記問題点を鑑みてなされたものであり、その目的は、入浴者特有の入浴状態の判定が実施可能で、入浴時の安全支援の改善が図れる入浴状態検出装置を提供することである。
【課題を解決するための手段】
【０００６】
本発明は前述の目的を達成するために、下記の技術的手段を採用する。また、特許請求の範囲及びこの項に記載した括弧内の符号は、ひとつの態様として後述する実施形態に記載の具体的手段との対応関係を示す一例であって、本発明の技術的範囲を限定するものではない。
【０００７】
すなわち、開示する入浴状態検出装置に係る発明のひとつは、浴槽（８０）の水位を検出する水位検出手段（６６）と、入浴者がいるときの、浴槽の水位上昇量と、入浴開始時刻、入浴終了時刻及び入浴時間の少なくとも一つとを含む入浴者情報を学習して得られる入浴パターン学習情報を記憶する記憶部（４０２）と、記憶部に記憶されている複数の入浴パターン学習情報の中から、現在入浴している入浴者に適合する入浴パターン学習情報を抽出し、抽出した入浴パターン学習情報に基づいて現在の入浴者に異常が発生しているか否かを判定する判定部（４０１）と、を備えることを特徴とする。
【０００８】
この発明によれば、浴槽に入浴者がいるときの、浴槽の水位上昇量と、入浴開始時刻、入浴終了時刻及び入浴時間の少なくとも一つとを含む入浴者情報を学習して生成される入浴パターン学習情報を記憶する。したがって、同じ浴槽を使用する人が複数人である場合には、入浴状態検出装置は、各人に対応する固有の入浴パターン学習情報を記憶する。そして、入浴者がいるときに、記憶済みの入浴パターン学習情報の中から現在の入浴者に適合する学習情報を抽出し、抽出した学習情報に基づいて、現在の入浴者が異常状態であるか否かを判定する。これにより、浴槽を使用するユーザーが複数人いる場合に、現在の入浴者が異常であるか否かを、その人特有の入浴パターンと比較して判定することができる。
【０００９】
例えば、浴槽に入っているトータル時間、連続入浴時間、入浴終了時刻、水位変化の度合い、水位変化無し時間等の入浴者情報が、入浴パターン学習情報として学習されて記憶される。これらの学習情報はユーザーによって様々であり、入浴パターン学習情報からはユーザー個別の入浴時の癖や入浴習慣といった特徴が得られる。例えば、入浴者が気を失ったり、心肺停止したり、眠ってしまったりした場合には、現在の入浴状態から得られる情報は、過去の入浴実績から得られる入浴パターン学習情報と比較すると、現在の入浴者との大きな違いが生じる。本発明によれば、この違いを検出して入浴者が今、異常状態か否かを判定することができる。
【００１０】
このように、本発明は、入浴者特有の入浴状態に基づく異常判定が実施可能であり、入浴時の安全支援の改善が図れる入浴状態検出装置を提供できる。
【図面の簡単な説明】
【００１１】
【図１】本発明を適用する第１実施形態の入浴状態検出装置を備える給湯装置の構成図である。
【図２】第１実施形態の制御装置と各部の関係を示した構成図である。
【図３】入浴パターン学習情報が記憶されていない状態における入浴状態検出の処理手順に関わるフローチャートである。
【図４】記憶されている入浴パターン学習情報を用いた入浴状態検出の処理手順に関わるフローチャートである。
【図５】図３または図４のフローチャートと同時に進行する入浴確認に係るフローチャートである。
【図６】第２実施形態における、記憶済みの入浴パターン学習情報を用いた入浴状態検出の処理手順を示したフローチャートである。
【図７】ステップ１０３Ｂに係る表示ルーチンの処理手順を示したフローチャートである。
【図８】第３実施形態に係る制御装置と各部の関係を示した構成図である。
【図９】第３実施形態における、ステップ１０３Ｂに係る表示ルーチンの処理手順を示したフローチャートである。
【図１０】第４実施形態における、記憶済みの入浴パターン学習情報を用いた入浴状態検出の処理手順を示したフローチャートである。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合わせることも可能である。
【００１３】
（第１実施形態）
本発明を適用する第１実施形態を以下に説明する。本発明に係る入浴状態検出装置を備える給湯装置１００の構成について図１及び図２を参照して説明する。なお、入浴状態検出装置の作動の詳細については後述する。
【００１４】
図１に示すように、給湯装置１００は、高温水を沸かすヒートポンプ式加熱装置としてのヒートポンプユニット２０と、タンクユニット９０と、給湯装置１００の作動を制御する制御装置４０と、を備えている。タンクユニット９０は、導入管１１によってその最下部に水が供給されるタンク１０、各種配管、各種弁等を含む。タンクユニット９０とヒートポンプユニット２０は、設置現場において一体化または離間して設置可能なように構成されている。また、浴槽８０内の浴槽水とタンク１０内の湯との間で熱交換するように構成される追い焚き装置７０により、追い焚き運転が行われる。
【００１５】
タンク１０は、給湯に用いる給湯用水を貯える容器であって、耐食性に優れた金属製、例えばステンレス製の容器であり、外周部に図示しない断熱材が配置されており、給湯用の湯を長時間に渡って保温することができる。
【００１６】
タンク１０は略円筒形形状であり、その底面に導入口１０ａが設けられている。この導入口１０ａにはタンク１０内に水道水を供給する導入用流路としての導入管１１が接続されている。この導入管１１には給水サーミスタ５１及び減圧弁７８が設けられている。給水サーミスタ５１は、導入管１１内の温度を検出するための電気信号を制御装置４０に出力する。また、減圧弁７８は、導入管１１を流れてくる水道水の水圧を所定圧に減圧したり、断水等における湯の逆流を防止したりすることができる。
【００１７】
また、導入管１１には、導入口１０ａの上流側の部位から分岐する給水管１１Ａが設けられている。給水管１１Ａの下流端は、給湯用混合弁１５及び風呂用混合弁１６に接続されている。
【００１８】
タンク１０の最上部には高温導出口１０ｂが設けられ、この高温導出口１０ｂにはタンク１０内に貯えられた給湯用の湯のうち、高温の湯を導出するための給湯用流路としての高温取出管１２が接続されている。また、高温取出管１２の経路途中には、逃がし弁７９が配設された排出配管が接続されており、タンク１０内の圧力が所定圧以上に上昇した場合には、タンク１０内の湯を外部に排出して、タンク１０等にダメージを与えないようになっている。
【００１９】
タンクの中間部１０ｃには、中間部配管１０ｃ１の一端が接続されている。中間部配管１０ｃ１には、中間部１０ｃ側への逆流を防止する逆止弁７７が設けられている。中間部配管１０ｃ１の他端は、中温用混合弁１４によって高温取出管１２に接続されている。中間部１０ｃは、例えば、タンク１０の高さ寸法を三等分し、上から順番に、上部（高温湯領域ともいう）、中間部（中温湯領域ともいう）、下部（低温湯領域ともいう）と区画した場合、中間部に含まれる部位に設けられる。
【００２０】
タンク１０の外壁面には、給湯用水の貯湯量及び貯湯温度を検出するための貯湯温度検出手段としての複数（本例では７つ）のタンク水温サーミスタ５５ａ〜５５ｇが縦方向（タンク１０の高さ方向）にほぼ等間隔に配置されている。タンク水温サーミスタ５５ａ〜５５ｇはタンク１０内に満たされた給湯用水の各水位レベルでの温度信号を制御装置４０に出力する。
【００２１】
タンク水温サーミスタ５５ａ〜５５ｇから送信される温度情報に基づいて、タンク１０内の上方の沸き上げられた温水とタンク内の下方の沸き上げられる前の水との温度境界位置を検出することができ、これにより貯湯量が検出できる。例えば、あるタンク水温サーミスタの検出温度が貯湯熱量として使用できる所定温度を超えていた場合は、タンク１０内の最上部からそのタンク水温サーミスタの位置までは給湯に使用できる湯が貯まっていることになる。
【００２２】
また、これらのタンク水温サーミスタ５５ａ〜５５ｇのうち、タンクの高さの中ほどに位置する水温サーミスタ５５ｃ，５５ｄは、中間部１０ｃ、タンク流入部７４ｃを流通する湯水の温度を検出する機能を有する。
【００２３】
タンク１０の下部には、ヒートポンプ側回路２１を形成する配管が接続される吸入口１０ｄが設けられている。タンク１０の上部には、ヒートポンプ側回路２１を形成する配管が接続される吐出口１０ｅが設けられている。吐出口１０ｅには、ヒートポンプユニット２０側から吐出された湯が上部からタンク１０の内部に流入する。
【００２４】
ヒートポンプ側回路２１の一部は、ヒートポンプユニット２０が有する水・冷媒熱交換器の水側通路となっている。ヒートポンプ側回路２１における、当該水側通路と吐出口１０ｅとの間には、切替弁２２が設けられている。
【００２５】
ヒートポンプ側回路２１のうち、ヒートポンプユニット２０の出口側から切替弁２２までの部位には、給湯出口配管２１ａが接続されており、切替弁２２から吐出口１０ｅまでの部位には上部配管２１ｂが接続されている。上部配管２１ｂは、ヒートポンプユニット２０で加熱された高温の湯をタンク１０内に流入させる上部流入管としても機能する。
【００２６】
切替弁２２は、ヒートポンプユニット２０の出口通路を、タンク１０の吐出口１０ｅ側に連通させるか、バイパス配管２３に連通させるかを切り替えることができる切替手段として機能する。切替弁２２は、制御装置４０に電気的に接続されており、制御装置４０によって制御される。バイパス配管２３は、吸入口１０ｄと吐出口１０ｅとを水・冷媒熱交換器の水側通路を経由しないで連通させる第１連通配管を形成する。また、バイパス配管２３は、水側通路から流出した湯水をタンク１０の内部を経由しないで水側通路に戻せる通路を形成する。
【００２７】
ヒートポンプユニット２０は、冷媒として臨界温度の低い二酸化炭素を使用するヒートポンプサイクルと、ヒートポンプ側回路２１中に設置された給水ポンプとから構成されている。超臨界のヒートポンプサイクルによれば、一般的なヒートポンプサイクルよりも高温、例えば、８５℃〜９０℃程度の湯をタンク１０内に貯えることができる。
【００２８】
ヒートポンプサイクルは、少なくとも電動式の圧縮機、水・冷媒熱交換器、電気式の膨張弁、空気熱交換器、及びアキュムレータの冷凍サイクル機能部品が配管で環状に接続されることにより形成されている。さらに、空気熱交換器の近傍には、空気熱交換器に対して強制風を提供する送風機が設けられている。
【００２９】
ヒートポンプユニット２０は、制御装置４０からの制御信号により作動するとともに、その作動状態を浴室内コントローラ４１の表示部４１０、浴室外コントローラ４２の表示部４２０に表示するように構成されている。表示部４１０、表示部４２０は、例えば、各コントローラに装備された液晶画面である。ヒートポンプユニット２０は、主に料金設定の安価な深夜時間帯の深夜電力を利用し、圧縮機の回転数制御により、タンク１０内の給湯用水を加熱する沸き上げ運転を行う。また、ヒートポンプユニット２０は、深夜時間帯以外の時間帯においても、タンク１０内の貯湯熱量が不足してくると沸き上げ運転を行う。また、圧縮機の回転数は、種々の運転条件下において規定の能力が出るように制御装置４０により制御される。
【００３０】
膨張弁は、水・冷媒熱交換器から流出する高圧の冷媒を減圧する減圧手段であり、制御装置４０によって弁開度が電気的に制御される。空気熱交換器は、膨張弁で減圧された冷媒を送風機によって送風される室外空気との熱交換によって蒸発気化させ、圧縮機にガス冷媒を供給する。その送風機は、空気熱交換器の熱交換性能を確保するように制御装置４０によって回転数が制御される。アキュムレータは、空気熱交換器から流出する冷媒を気液分離して、気相冷媒のみ圧縮機に吸引させるとともに、サイクル中の余剰冷媒を貯える。
【００３１】
水・冷媒熱交換器は、圧縮機の吐出口より吐出された高温・高圧の冷媒によって水を加熱して湯とする加熱用熱交換器である。水・冷媒熱交換器の冷媒側通路は、圧縮機の吐出口より吐出された高圧のガス冷媒と水側通路を流れる給湯用水とを熱交換する冷媒流路管により構成されている。水・冷媒熱交換器は、例えば、冷媒側通路と水側通路の対向する面とが熱交換可能に密着するように配置された二層構造となっている。水側通路は、冷媒側通路の冷媒入口部から冷媒出口部に至る冷媒流路の全長で冷媒とヒートポンプ側回路を流通する水との熱交換が行われるように構成されている。そして、水側通路の出口部から所定の沸き上げ温度（６５℃〜９０℃程度）相当の温水を取り出した場合に、規定の熱交換性能を出せるように構成されている。
【００３２】
ヒートポンプ側回路２１において、吸入口１０ｄと水側通路との間には、給水ポンプが配設されている。給水ポンプは、内蔵される電動モータによって回転駆動されて、沸き上げ運転時に、タンク１０内の給湯用水を吸入口１０ｄから吸入し、水側通路内で加熱した後、タンク１０の吐出口１０ｅあるいはタンク流入部７４ｃに還流させるように作動する。給水ポンプは、沸き上げ温度サーミスタによって検出される水側通路の出口側水温が、種々の運転条件下において決定される所定の目標沸き上げ温度となるように制御装置４０によって回転数が制御される。
【００３３】
入水温度サーミスタは、水・冷媒熱交換器に供給される給湯用水の温度を検出するための電気信号を出力する。沸き上げ温度サーミスタは水・冷媒熱交換器の出口での沸き上げ温度を検出するための電気信号を出力する。吐出冷媒温度サーミスタは圧縮機から吐出される冷媒の温度を検出するための電気信号を出力する。出口冷媒温度サーミスタは水・冷媒熱交換器の出口での冷媒温度を検出するための電気信号を出力する。いずれのサーミスタも電気信号を制御装置４０に出力する。また、圧力センサは冷媒側通路の出口での冷媒圧力を検出するための電気信号を制御装置４０に出力する。
【００３４】
中温用混合弁１４は、高温取出管１２と中間部配管１０ｃ１との合流部位に設けられている。中温用混合弁１４は、高温側の高温取出管１２と、中温側の中間部配管１０ｃ１とのそれぞれの開口面積比を調節して、高温取出管１２から取り出した高温の湯と中間部配管１０ｃ１から取り出した中温の湯との混合比を調節する。中温用混合弁１４は、当該混合比を調節することにより、給湯用配管１７、給湯用混合弁１５、風呂用混合弁１６、風呂用配管１８等に流通させる湯の温度を調節する温度調節弁である。
【００３５】
中温用混合弁１４は、タンク水温サーミスタ５５ａ〜５５ｇ、湯温サーミスタ５２により検出される温度信号に基づいて制御装置４０によって制御される。湯温サーミスタ５２は、中温用混合弁１４の出口側に設けられて、中温用混合弁１４によって混合された湯の温度を検出する。ここでは、湯温サーミスタ５２で検出された温度が所定温度、例えば使用者が設定する設定温度＋２〜５℃程度となるように、中間部配管１０ｃ１から取り出した中温の湯をタンク１０内の高温湯に混合させて当該所定温度に温度調節している。中温用混合弁１４の出口側には、給湯用流路としての給湯用配管１７と、給湯用配管１７から分岐する湯張り配管としての風呂用配管１８とが接続されている。
【００３６】
給湯用配管１７は、その下流端の端末としての給湯端末（カラン、シャワー等）へ設定温度に温度調節された湯を導く配管である。給湯用配管１７の流路の中途には、温度調節手段としての給湯用混合弁１５と温度検出手段としての給湯サーミスタ５３、流量カウンタ５９、逆止弁６０等が設けられている。給湯サーミスタ５３は給湯用混合弁１５によって混合された湯水の温度を検出するための電気信号を制御装置４０に出力する。流量カウンタ５９は、給湯用混合弁１５からの湯の流れを検出し検出信号を制御装置４０に出力する。
【００３７】
風呂用配管１８は、その下流端が浴槽水回路７１に接続されて、浴槽水回路７１を介して浴槽８０のアダプタ８１に通じる。風呂用配管１８は、浴槽８０内に湯張り、差し湯、たし湯等を行う時に、設定温度に温度調節された湯を浴槽８０内に導く配管である。風呂用配管１８の流路の中途には、下流に向けて順に、風呂用混合弁１６、風呂用サーミスタ５４、湯張り用電磁弁６１、逆止弁６２、湯張り用流量カウンタ６３、逆止弁６４が設けられている。さらに、風呂用混合弁１６と湯張り用電磁弁６１の間と、逆止弁６２と湯張り用流量カウンタ６３の間とを連結する配管には、排水弁６８が設けられている。これら、風呂用混合弁１６、風呂用サーミスタ５４、湯張り用電磁弁６１、逆止弁６２、湯張り用流量カウンタ６３、逆止弁６４及び排水弁６８は、風呂注湯ユニット６９を構成する。
【００３８】
給湯用混合弁１５、風呂用混合弁１６は、それぞれ給湯用配管１７、風呂用配管１８の末端で出湯される湯の温度を調節する温度調節弁である。給湯用混合弁１５、風呂用混合弁１６は、それぞれの開口面積比（中温用混合弁１４で温度調節された給湯用水側の開度と給水管１１Ａから供給される給湯水側の開度の比率）を調節することで出湯される湯温を設定温度に調節する。給湯用混合弁１５、風呂用混合弁１６の作動は、給水サーミスタ５１、湯温サーミスタ５２、給湯サーミスタ５３、風呂用サーミスタ５４が検出する温度に係る電気信号に基づいて、制御装置４０で制御される。
【００３９】
風呂用サーミスタ５４は、風呂用混合弁１６の下流側で風呂用配管１８内の温度を検出するための電気信号を制御装置４０に出力する。湯張り用電磁弁６１は、風呂用配管１８の流路を開閉する弁であり、浴槽８０内への湯張り、差し湯、たし湯等を行う時に制御装置４０により制御される。湯張り用流量カウンタ６３は、風呂用混合弁１６出口の湯の流れを検出し検出信号を制御装置４０に出力する。湯張り用流量カウンタ６３が風呂用混合弁１６出口の湯の流れを検出した時は、風呂用配管１８の湯張り用電磁弁６１が開弁されて出湯されていることを示す。
【００４０】
逆止弁６２，６４は、浴槽水回路７１を循環する浴槽水を風呂用混合弁１６側に逆流させないための弁である。循環温サーミスタ５６は、浴槽水回路７１を循環する浴槽水の温度を検出するための電気信号を制御装置４０に出力する。風呂循環センサ６５は、浴槽水回路７１を浴槽水が循環しているか否かを検出可能な流水センサである。追い焚きサーミスタ５７は、追い焚き用熱交換器７３で加熱された後の浴槽水の温度を検出するための電気信号を制御装置４０に出力する。
【００４１】
浴槽８０には、底部に設けられた排水口を開閉する自動排水栓５０が設けられている。自動排水栓５０の開閉作動は、給湯ＥＣＵ３０によって制御される。水位センサ６６は、浴槽８０内に湯張りされた浴槽水の湯量、言い換えれば浴槽８０内の水位レベルを求めるための水圧を検出する水位検出手段であり、水圧信号を制御装置４０に出力する。つまり、制御装置４０は、当該水圧信号に基づいて浴槽８０内の水位、水量を求める。風呂循環ポンプ６７は、浴槽８０内の浴槽水を追い焚き用熱交換器７３に圧送する電動ポンプであり、制御装置４０によってその作動が制御される。
【００４２】
追い焚き運転を行う時は、風呂循環ポンプ６７を駆動させることにより、浴槽８０内の浴槽水が浴槽水回路７１を循環して追い焚き用熱交換器７３で加熱される。追い焚き運転では、循環温サーミスタ５６により検出される浴槽水温度が設定温度になるまで制御が継続される。
【００４３】
給湯装置１００は、タンク１０の外部に配置された追い焚き用熱交換器７３と、追い焚き用熱交換器７３とタンク１０の内部とを連絡する１次側回路７４とを備える。追い焚き用熱交換器７３における給湯用水側通路７３ｂの入口部は、水・冷媒熱交換器２６の水側通路２６ｂの出口部と切替弁２２とを接続する配管に位置する通路部位７４ａと、第２連通配管７４ｂによって連通する。したがって、給湯用水側通路７３ｂの流入部は、ヒートポンプ側回路２１における、水側通路２６ｂの流出部と切替弁２２とを接続する通路に、第２連通配管７４ｂによって接続されている。
【００４４】
また、通路部位７４ａは、切替弁２２を経由してタンク１０の吐出口１０ｅに連通している。このように第２連通配管７４ｂは、ヒートポンプユニット２０を流出した湯水が切替弁２２に至るまでの通路部位７４ａと追い焚き用熱交換器７３の流入部とを接続する連絡通路をなす。
【００４５】
給湯用水側通路７３ｂの出口部は、タンク１０におけるタンク流入部７４ｃに配管によって接続されている。タンク流入部７４ｃは、中間部１０ｃと同様に、中間部に含まれる部位に設けられる。給湯用水側通路７３ｂの出口部とタンク流入部７４ｃを接続する配管には、給湯用水側通路７３ｂの出口部側から順番に、逆止弁７６、１次側サーミスタ５８、１次側循環ポンプ７５が設けられている。
【００４６】
逆止弁７６は、ヒートポンプユニット２０からの沸き上げ時に切替弁２２をタンク１０の上部へ蓄熱する際に、第２連通配管７４ｂを経由して給湯用水側通路７３ｂへ湯が流入しないようにする弁である。逆止弁７６は、逆止弁７６の開弁圧を利用する。なお、逆止弁７６は、湯水が逆流して追い焚き用熱交換器７３へ流入しないように、通路を開閉する開閉弁に置き換えてもよい。この構成により、ヒートポンプユニット２０からの沸き上げ時の湯が追い焚き用熱交換器７３を経由してタンク１０内へ流入することを回避できる。また、高温、中温または低温の湯水が流入し、停留してしまう状態を回避することができる。
【００４７】
１次側循環ポンプ７５は、制御装置４０によって制御されて、タンク１０内の給湯用水やヒートポンプユニット２０で沸き上げた高温水を１次側回路７４に循環させることができる。１次側サーミスタ５８は、給湯用水側通路７３ｂの出口部から流出した水の温度を検出するための電気信号を制御装置４０に出力する。
【００４８】
１次側回路７４は、一つには、タンク流入部７４ｃから吐出口１０ｅに至るタンク１０の内部と、吐出口１０ｅからタンク流入部７４ｃに至る配管経路と、を含む経路を構成する回路でもある。また、１次側回路７４は、タンク流入部７４ｃから吐出口１０ｅに至るタンク１０の内部と、タンク１０の吸入口１０ｄから、水側通路２６ｂ及び第２連通配管７４ｂを経由してタンク流入部７４ｃに至る配管経路と、を含む経路を構成する回路でもある。また、１次側回路７４は、タンク１０の吸入口１０ｄ、バイパス配管２３、第２連通配管７４ｂを経由し、タンク流入部７４ｃに至る経路を構成する回路でもある。
【００４９】
追い焚き装置７０は、浴槽水回路７１と、追い焚き用熱交換器７３と、を含んで構成されている。浴槽水回路７１は、浴槽８０と追い焚き用熱交換器７３の浴槽水側通路７３ａとを環状に接続する回路である。追い焚き用熱交換器７３は、熱交換により、浴槽水回路７１を循環する浴槽水を、タンク１０内に貯えた湯やヒートポンプユニット２０で沸き上げた湯によって加熱するタンク外熱交換器である。
【００５０】
タンク１０内に貯えた湯を追い焚きの熱源にするためには、以下のように各部を制御する。制御装置４０は、タンク１０の吐出口１０ｅと通路部位７４ａとが連絡するように切替弁２２を切り替え、１次側循環ポンプ７５を駆動する。タンク１０内の湯は、１次側循環ポンプ７５の駆動力により、吐出口１０ｅから流れ出て第２連通配管７４ｂを経由して追い焚き用熱交換器７３に至る。タンク１０内の湯は、追い焚き用熱交換器７３の給湯用水側通路７３ｂを通過するときに浴槽水側通路７３ａを流れる浴槽水と熱交換して浴槽水を加熱した後、タンク流入部７４ｃからタンク１０内の中間部に戻るようになる。
【００５１】
（ＨＰ沸き上げ運転と追い焚き運転を同時実施する場合）
ヒートポンプユニット２０で沸き上げた湯を追い焚きの熱源にするためには、以下のように各部を制御する。制御装置４０は、タンク１０の吐出口１０ｅと通路部位７４ａとが連絡するように切替弁２２を切り替え、１次側循環ポンプ７５及び給水ポンプ２４を駆動する。タンク１０内の湯は、タンク下部の吸入口１０ｄから取り出され水・冷媒熱交換器の水側通路を通過するときに冷媒と熱交換して加熱された後、第２連通配管７４ｂを経由して追い焚き用熱交換器７３に至る。そして、ヒートポンプユニット２０で沸き上げた湯は、追い焚き用熱交換器７３の給湯用水側通路７３ｂを通過するときに浴槽水側通路７３ａを流れる浴槽水と熱交換して浴槽水を加熱した後、タンク流入部７４ｃからタンク１０内の中間部に戻るようになる。
【００５２】
このとき、制御装置４０は、追い焚き運転に必要な追い焚き能力に応じて１次側循環ポンプ７５による１次側の流量を決定する。給水ポンプ２４による沸き上げ流量が当該１次側の流量よりも大きい場合には、沸き上げ流量は、通路部位７４ａから追い焚き用熱交換器７３へ供給される流量と、通路部位７４ａからタンク１０の吐出口１０ｅへ供給される流量とに、分配される。すなわち、沸き上げ流量から１次側の流量の差し引いた流量分が、タンク１０内の上部に供給されることになる。したがって、追い焚き運転とタンク１０への熱量補給とが同時に行われる。
【００５３】
制御装置４０は、マイクロコンピュータを主体として構成される。制御装置４０は、各種のセンサ、サーミスタ、流量カウンタ等によって検出された信号等が入力される入力部を備える。制御装置４０は、入力部に入力された信号に基づく各種情報と内蔵する演算プロプラム等を用いた所定の判定を実行する判定部４０１を備える。制御装置４０は、予め制御プログラムを記憶する記憶部４０２を備える。記憶部４０２は、例えば、フラッシュメモリやＲＡＭで構成され、記憶されているデータの読み出しや書き込み、データの更新、学習を行う。
【００５４】
制御装置４０には、各サーミスタ５１〜５８からの温度信号、流量カウンタ５９及び湯張り用流量カウンタ６３からの流量信号、風呂循環センサ６５からの浴槽水流通信号、水位センサ６６からの水位信号、各コントローラからの入力信号等が入力される。制御装置４０は、これらの信号に基づいて、各種の混合弁１４〜１６、ヒートポンプユニット２０、切替弁２２、湯張り用電磁弁６１、風呂循環ポンプ６７等を制御する作動制御部４００を備える。例えば、制御装置４０は、貯湯ＥＣＵ、ヒートポンプユニット２０を制御するヒートポンプＥＣＵ、またはこれらのＥＣＵを統合するシステムＥＣＵから構成することができる。
【００５５】
また、制御装置４０は、温水として使用された使用熱量の実績、例えば、ヒートポンプユニット２０の運転実績、給湯や湯張りに相当する給湯実績等を、毎日継続して記憶部４０２に記憶する。記憶部４０２は、例えば、ヒートポンプユニット２０の運転実績を含む過去の使用熱量の実績を所定期間分記憶しておくことができ、当該所定期間からはみ出た古い実績は新しい実績に随時書き換えられる。記憶部４０２は、所定期間の一例として過去１週間分の使用熱量の実績を記憶するようにしている。そして、１週間分の使用熱量の実績は、直近の１日の実績が記憶されるタイミングになると、最も古い１日の実績が記憶部４０２から消去され、直近の１日の実績が書き込まれることになる。
【００５６】
記憶部４０２は、浴槽８０を使用する入浴者に関する各種の入浴者情報を記憶することができる。記憶部４０２は、所定期間分の入浴者情報を記憶する。そして、所定期間分の入浴者情報の実績は、直近の１日の実績が記憶されるタイミングになると、最も古い１日の実績が記憶部４０２から消去され、直近の１日の実績が書き込まれることになる。
【００５７】
記憶部４０２は、入浴者がいるときの、浴槽８０の水位上昇量と、入浴開始時刻、入浴終了時刻及び入浴時間の少なくとも一つとを含む入浴者情報を記憶することができる。さらに記憶部４０２は、入浴者情報を学習して入浴パターン学習情報を生成しこれを記憶する。
【００５８】
制御装置４０の作動制御部４００は、水位センサ６６からの水位信号、判定部４０１の判定結果等に基づいて、自動排水栓５０、浴室内コントローラ４１、浴室外コントローラ４２等を制御する。したがって、作動制御部４００は、沸き上げ運転に関するヒートポンプユニット２の作動、浴槽８０への自動湯張り運転が設定された場合の湯張り運転、浴槽８０の残り湯を排水する排水運転等を制御する。
【００５９】
浴室内コントローラ４１は、浴室の壁に設けられ、入浴者による運転操作が可能なスイッチ部と、運転状態が表示される表示部とを備えるリモコンである。浴室外コントローラ４２は、浴室内コントローラ４１と同様の構成を有し、浴室以外の部屋の壁、例えば、キッチンやリビングの壁に設けられるリモコンである。これらのコントローラには、操作スイッチとして、給湯設定温度スイッチ、風呂自動スイッチ、湯張り設定温度スイッチ、追い焚きスイッチ、追い焚き設定温度スイッチ、風呂熱回収スイッチ等が設けられている。コントローラ、浴槽８０、シャワー以外の給湯装置の各部は、屋外等の適所に設置されている。
【００６０】
次に、給湯装置１００が実施する運転モードを説明する。給湯装置１００は、浴槽水を加熱する追い焚き運転、浴槽水の熱をタンク１０の内部に回収する風呂熱回収運転、及びヒートポンプユニット２０の沸き上げ運転（以下、ＨＰ沸き上げ運転ともいう）の各運転モードを実施できる。
【００６１】
（追い焚き運転）
追い焚き運転において、制御装置４０は、１次側循環ポンプ７５と切替弁２２を制御することにより、タンク１０の上部の湯やヒートポンプユニット２０で沸き上げた湯を、追い焚き用熱交換器７３の給湯用水側通路７３ｂに流通させる。さらに制御装置４０は、風呂循環ポンプ６７を駆動することにより、浴槽水を浴槽水回路７１に循環させて追い焚き用熱交換器７３の浴槽水側通路７３ａに流通させ、給湯用水側通路７３ｂを流れる湯と熱交換して加熱する。
【００６２】
（風呂熱回収運転）
制御装置４０は、ユーザーによって浴室内コントローラ４１や浴室外コントローラ４２の風呂熱回収スイッチから入力される入力信号、または自動運転において所定の条件が成立した際の信号に基づいて、浴槽水の熱量を活用してタンク１０の下部への熱回収を行う。所定の条件が成立する場合とは、自動運転が終了して一定時間（例えば２時間）が経過したこと等である。風呂熱回収運転において、制御装置４０は、１次側循環ポンプ７５と切替弁２２を制御することにより、タンク１０の下部の水をバイパス配管２３を経由して追い焚き用熱交換器７３の給湯用水側通路７３ｂに流通させる。このとき切替弁２２は、バイパス配管２３の通路を給湯用水側通路７３ｂに連通させる連通通路を設定するように制御される。
【００６３】
さらに制御装置４０は、風呂循環ポンプ６７を駆動することにより、浴槽水を浴槽水回路７１に循環させて追い焚き用熱交換器７３の浴槽水側通路７３ａに流通させ、熱交換により給湯用水側通路７３ｂを流れるタンク１０の下部の水を加熱する。追い焚き用熱交換器７３で加熱されたタンク１０の下部の水は、タンク流入部７４ｃからタンク１０の中間部に流入し、浴槽水の熱量がタンク１０内に回収される。このように追い焚き用熱交換器７３は、風呂の追い焚き用熱交換器であるとともに、風呂の熱回収を行うことができる風呂熱回収用の熱交換器でもある。
【００６４】
（ヒートポンプユニット２０の沸き上げ運転）
制御装置４０は、ヒートポンプユニット２０に対して作動指示をし、タンク１０内の下部側の貯湯水をヒートポンプ側回路２１に循環させヒートポンプユニット２０で加熱して、沸き上げられた高温の湯をタンク１０に貯めるＨＰ沸き上げ運転を実施する。タンク１０に貯湯するＨＰ沸き上げ運転は、第１の沸き上げ運転及び第２の沸き上げ運転を含む。第１の沸き上げ運転は、タンク１０の下部の水をヒートポンプユニット２０で沸き上げるが、まだ十分な温度となっていない場合に、切替弁２２によって、ヒートポンプユニット２０の出口通路とバイパス配管２３を連通する連通通路を設定する運転である。この第１の沸き上げ運転では、低温の湯がタンク１０の上部に流入しないようにする。
【００６５】
第２の沸き上げ運転は、タンク１０の下部の水をヒートポンプユニット２０で沸き上げ、一定の温度（所定の温度）になった後、切替弁２２によって、ヒートポンプユニット２０の出口通路と吐出口１０ｅとを連通する連通通路を設定する運転である。第２の沸き上げ運転では、湯をタンク１０の上部に取り入れる。
【００６６】
次に、給湯装置１００が備える入浴状態検出装置が実施する、入浴状態検出に係る制御について図３〜図５の各フローチャートを参照して説明する。図３は、まだ入浴パターン学習情報が記憶されていない初期時における入浴状態検出の処理手順を示したフローチャートである。図４は、すでに記憶されている入浴パターン学習情報を用いた入浴状態検出の処理手順を示したフローチャートである。
【００６７】
図５は、入浴後に定期的に行う入浴確認に係るフローチャートであり、図３または図４のフローチャートと同時に進行する。したがって、図５のフローチャートは、後述するステップ３やステップ１０３で「ＹＥＳ」と判定されると開始される。図５のフローチャートの処理は、制御装置４０によって実行される。図５のステップ２００では、所定時間毎（例えば、１〜１０分の範囲に含まれる時間毎）に、水位センサ６６によって検出される水位レベルに基づいて、入浴中であるか否かを判定する。
【００６８】
ステップ２００で入浴中であると判定した場合は、図３または図４のフローチャートに示す処理を継続実施するとともに、ステップ２００の判定処理を繰り返す。ステップ２００で入浴中でないと判定した場合、つまり入浴を終了した場合は、図３または図４のフローチャートに示す処理を一旦強制終了する。そして、制御装置４０に電源が投入されている場合は、図３のフローチャートに係る制御を開始する。
【００６９】
図３、図４の各フローチャートの処理は、制御装置４０によって実行される。制御装置４０は、電源が投入された状態でフローチャートに係る制御を開始する。まず、図３のステップ１では、記憶部４０２に記憶されている入浴パターンやその学習情報があるか否かを判定する。すでに記憶済みの入浴パターン学習情報等がある場合は、図４のフローチャートのステップ１０２に進むが、記憶済みの入浴パターン学習情報等がない場合は、ステップ２に進む。
【００７０】
次のステップ２で制御装置４０の入力部は、水位センサ６６によって検出される水位レベルを取得する。ステップ３で判定部４０１は、取得した水位レベルが前回の水位レベルに対して所定値以上上昇していると判定すると、人が入浴したとみなしてステップ４に進む。ステップ３で所定値以上上昇していないと判定すると、ステップ２に戻り、水位計測処理を繰り返す。ステップ３での判定処理は、水位レベルの所定値以上の上昇を確認するまで、すなわち、浴槽８０に人が入るまで反復される。
【００７１】
ステップ４では、入浴者の状態を監視する処理を開始し、さらに取得した各種のデータは、記憶部４０２に随時記憶される。監視するデータは、入浴前に対する入浴後の水位上昇量と、入浴開始時刻、入浴終了時刻、入浴に要した時間、入浴期間における水位変化の度合い、入浴期間における水位変化無し時間等である。
【００７２】
制御装置４０は、水位センサ６６によって検出される水位レベルが入浴前の水位レベル以下になったときの時刻を入浴終了時刻として記憶し、さらに入浴開始から入浴終了までに要した時間を入浴時間として記憶部４０２に記憶する。さらに制御装置４０は、入浴前に対する入浴後の水位上昇量を記憶部４０２に記憶する。また、制御装置４０は、この入浴時間の間に、定期的に取得した水位レベルの検出値から、水位変化の度合いや水位変化無し時間を算出し、記憶部４０２に記憶する。制御装置４０は、これらの入浴者情報を取得し、記憶することで、入浴しているユーザー特有の入浴時の癖や入浴習慣といった入浴パターン学習情報を取得できる。
【００７３】
記憶部４０２に記憶されたこれらの各種データは、すでに記憶されている入浴パターン学習情報と比較されて、複数のグループのうちのいずれかの該当するグループに分類される。さらにこのグループ分類に係る学習情報は、後述するステップ１０３Ａ、ステップ１０８で使用することになる。
【００７４】
例えば、取得した水位上昇量が、設定された複数の範囲のうちの該当する範囲に含まれる場合は、その入浴者は、その該当するグループに分類される。これにより、入浴者固有の容積、つまり体の大きさに適合するグループに分類されるので、大人と子供とを別のグループに分類したり、体の大きな男性と体の小さな女性とを別のグループに分類したりすることができる。また、横たわって入浴したり、半身浴姿勢で入浴したりする入浴姿勢に特徴、癖がある入浴者については、体の大きさだけでは正確に分類できない特有の入浴者情報を反映した分類を行うことができる。
【００７５】
また、例えば、入浴開始時刻や入浴終了時刻が、夕方以降の早めの時間帯に含まれる子供や祖父母、夜１０時以降の時間帯に含まれる父親、母親などについても、入浴者特有の入浴時間帯にそれぞれ適合するグループに分類される。このように、家族各人の生活スタイルに適合した分類を行うことができる。
【００７６】
また、例えば、入浴時間が、短い子供や男性、長い時間入浴する女性、テレビ視聴や半身浴をするユーザーなどについても、入浴者特有の入浴時間にそれぞれ適合するグループに分類される。このように、家族各人の入浴スタイルに適合した分類を行うことができる。
【００７７】
このように制御装置４０は、入浴者の存在を確認してから入浴が終了するまでに検出可能な様々なデータを取得し、学習情報として記憶部４０２に記憶する。制御装置４０は、取得した入浴者情報を複数の入浴パターンに分類して、複数のグループに分類することによって、入浴者特有の入浴時の癖や入浴習慣といった入浴パターン学習情報を生成でき、現在の入浴者が誰であるかを正確に認識することができる。
【００７８】
ステップ４での監視を開始すると、次にステップ５で、判定部４０１は、水位センサ６６によって検出される水位レベルに所定条件を満たす変動があるか否かを判定する。入浴者が入浴中に動くと、水位が変動するからである。例えば、判定部４０１が所定時間（例えば数分）あたりの水位変化量が所定値未満であると判定すると、制御装置４０は、次のステップ６で、浴室内コントローラ４１と浴室外コントローラ４２の両方に警告を通報する。この警告通報は、例えば、浴室内コントローラ４１と浴室外コントローラ４２から警報音を出したり、赤色等の警告ランプを点滅したりするような手法によって実施される。
【００７９】
次にステップ７で、制御装置４０は、浴室内コントローラ４１または浴室外コントローラ４２を介してユーザーから応答があるか否かを判定する。そしてステップ７で、応答があると確認できれば、ステップ４に戻り、監視を継続する。入浴者に異常がなければ、浴室内コントローラ４１を介して入浴者から制御装置４０に応答があるはずである。また、浴室内コントローラ４１からの応答がなくても、入浴者以外の家族などのユーザーから浴室外コントローラ４２を介して応答があれば、このユーザーは、入浴者に何らかの異常が発生したと考えて浴室に確認に行き、対策を講じることができる。
【００８０】
一方、ステップ７で、いずれのコントローラからも応答がないことを確認すると、ステップ１５に進み、制御装置４０は、浴槽８０の水を排水すべく、自動排水栓５０を制御して浴槽８０の排水口を開放し、本フローチャートを終了する。この自動排水処理により、浴槽８０の水は排水されるので、入浴者が浴槽８０内で気を失ったり、溺れたりする等によって危険な状態になることを回避できる。
【００８１】
ステップ５で、判定部４０１は、検出された水位レベルに所定条件を満たす変動がある、例えば、所定時間あたりの水位変化量が所定値以上であると判定すると、ステップ８に進む。ステップ８で判定部４０１は、ステップ３で入浴を検知してからの入浴時間が、予めデフォルト値として定めた時間（例えば２０分）よりも長いか否かを判定する。ステップ８で、まだ入浴時間がデフォルト値として定めた時間に達していない場合はステップ４に戻り、監視を継続する。ステップ８で、入浴時間がデフォルト値として定めた時間以上である場合はステップ９に進み、制御装置４０は、浴室内コントローラ４１と浴室外コントローラ４２の両方に正常確認の通報を行う。この確認通報は、例えば、浴室内コントローラ４１と浴室外コントローラ４２から確認のための音声を出したり、確認ランプを点滅したりするような手法によって実施される。
【００８２】
次にステップ１０で制御装置４０は、浴室内コントローラ４１または浴室外コントローラ４２を介してユーザーから応答があるか否かを判定する。ステップ１０で、いずれのコントローラからも応答がないことを確認すると、ステップ１５に進み、制御装置４０は、自動排水栓５０を制御して浴槽８０の排水口を開放し、本フローチャートを終了する。
【００８３】
ステップ１０で応答があると確認できれば、さらにステップ１１で、先のステップ５と同様に、水位レベルの変動があるか否かを判定する。判定部４０１が水位レベルの変動がないと判定すると、制御装置４０は、入浴者が引き続き危険な状態である可能性が高いと判断して、ステップ１５に進み、自動排水栓５０を制御して浴槽８０の排水口を開放し、本フローチャートを終了する。
【００８４】
判定部４０１は、水位レベルの変動があると判定すると、次にステップ１２において、ステップ８でＹＥＳと判定してからさらに、予め定めた一定時間が経過したか否かを判定する。この一定時間は、ステップ８の所定時間よりも短い時間であり、例えば、１〜５分の範囲に設定される時間である。このステップ１１、ステップ１２は、ステップ１２で一定時間が経過したと判定されるまで繰り返し実行される。ステップ１２は、いわゆる、目覚まし時計が備えるスヌーズ機能と同様の働きを奏する。
【００８５】
ステップ１２で、判定部４０１が一定時間が経過したと判定すると、制御装置４０は、次のステップ１３で、先のステップ６と同様に、浴室内コントローラ４１と浴室外コントローラ４２の両方に警告を通報する。次のステップ１４で、制御装置４０は、浴室内コントローラ４１または浴室外コントローラ４２を介してユーザーから応答があるか否かを判定する。そしてステップ１４で、応答があると確認できれば、ステップ１１に戻り、水位変動の監視を継続する。
【００８６】
一方、ステップ１４で、いずれのコントローラからも応答がないことを確認すると、ステップ１５に進み、制御装置４０は、浴槽８０の水を排水すべく、自動排水栓５０を制御して浴槽８０の排水口を開放し、本フローチャートを終了する。
【００８７】
先のステップ１における判定処理で、すでに記憶済みの入浴パターン学習情報等があると判定されると、図４のフローチャートのステップ１０２に進む。ステップ１０２では、先のステップ２と同様に、水位センサ６６によって検出される水位レベルを取得する。ステップ１０３で判定部４０１は、先のステップ３と同様に、取得した水位レベルが前回の水位レベルに対して所定値以上上昇していると判定すると、ステップ１０３Ａに進む。ステップ１０３で所定値以上上昇していないと判定すると、ステップ１０２に戻り、水位計測処理を繰り返す。
【００８８】
ステップ１０３Ａでは、制御装置４０は、前述したように、記憶部４０２に記憶されている複数のグループ分類の中から、現在の入浴者に該当する入浴パターン学習情報を判別する処理を実行する。制御装置４０は、現在の入浴者から得られる入浴情報、例えば、水位上昇量、入浴開始時刻等と、記憶部４０２に記憶済みの、各グループの入浴パターン学習情報とを比較した結果、現在の入浴者が所属するグループを学習パターン候補として抽出する。制御装置４０は、以降のステップで実行する判定処理において、ステップ１０３Ａで抽出されたグループの入浴パターン学習情報と、取得される現在の入浴者情報とを比較することにより、判定結果を作成する。
【００８９】
次に、制御装置４０は、ステップ１０４で、先のステップ４と同様に、入浴者の状態を監視する処理を開始し、さらに取得した各種のデータを記憶部４０２に随時記憶する。
【００９０】
ステップ１０４での監視を開始すると、次にステップ１０５で、判定部４０１は、水位センサ６６によって検出される水位レベルに所定条件を満たす変動があるか否かを判定する。例えば、判定部４０１が所定時間（例えば数分）あたりの水位変化量が所定値未満であると判定すると、制御装置４０は、次のステップ１０６で、浴室内コントローラ４１と浴室外コントローラ４２の両方に警告を通報する。
【００９１】
次にステップ１０７で、制御装置４０は、浴室内コントローラ４１または浴室外コントローラ４２を介してユーザーから応答があるか否かを判定する。そしてステップ１０７で、応答があると確認できれば、例えば、入浴者に異常がない、または家族等が確認して問題無いと判断したとして、ステップ１０４に戻り、監視を継続する。
【００９２】
一方、ステップ１０７で、いずれのコントローラからも応答がないことを確認すると、ステップ１１５に進み、制御装置４０は、自動排水栓５０を制御して浴槽８０の排水口を開放し、本フローチャートを終了する。この自動排水処理により、浴槽８０の水は排水されるので、入浴者が浴槽８０内で浴槽水によって危険な状態になることを回避できる。
【００９３】
ステップ１０５で、判定部４０１は、検出された水位レベルに所定条件を満たす変動がある、例えば、所定時間あたりの水位変化量が所定値以上であると判定すると、ステップ１０８Ａに進む。ステップ１０８Ａで判定部４０１は、ステップ１０３Ａで抽出されたグループに含まれるユーザーのうち、最も入浴が短い人の入浴時間、すなわち、最短入浴時間を抽出する。そして、判定部４０１は、現在の入浴者の入浴時間が、抽出した最短入浴時間よりも長いか否かを判定する。
【００９４】
ステップ１０８Ａで、現在の入浴時間がまだ最短入浴時間に達していない場合はステップ１０４に戻り、監視を継続する。ステップ１０８Ａで、現在の入浴時間が最短入浴時間を超えている場合はステップ１０９に進み、制御装置４０は、浴室内コントローラ４１と浴室外コントローラ４２の両方に正常確認の通報を行う。
【００９５】
次にステップ１１０で制御装置４０は、浴室内コントローラ４１または浴室外コントローラ４２を介してユーザーから応答があるか否かを判定する。ステップ１１０でいずれのコントローラからも応答がないことを確認すると、ステップ１１５に進み、制御装置４０は、自動排水栓５０を制御して浴槽８０の排水口を開放し、本フローチャートを終了する。
【００９６】
ステップ１１０で応答があると確認できれば、さらにステップ１１１で、先のステップ１０５と同様に、水位レベルの変動があるか否かを判定する。判定部４０１が水位レベルの変動がないと判定すると、制御装置４０は、入浴者が引き続き危険な状態である可能性が高いと判断して、ステップ１１５に進み、自動排水栓５０を制御して浴槽８０の排水口を開放し、本フローチャートを終了する。
【００９７】
判定部４０１は、水位レベルの変動があると判定すると、次にステップ１１２Ａにおいて、現在の入浴時間が、ステップ１０８Ａの判定処理で用いた最短入浴時間に予め定めた一定時間を加えた時間に対して長いか否かを判定する。この一定時間は、先のステップ１０８Ａの最短入浴時間よりも短い時間であり、先のステップ１２の判定処理で用いた一定時間と同様の時間である。
【００９８】
ステップ１１２Ａで、判定部４０１が、当該時間が経過した（ＹＥＳ）と判定すると、制御装置４０は、次のステップ１１３で、先のステップ１０６と同様に、浴室内コントローラ４１と浴室外コントローラ４２の両方に警告を通報する。この警告は、ランプの点灯や点滅だけでなく、警告音、音声等を用いた緊急性を促す形態によって行われる。次のステップ１１４で、制御装置４０は、浴室内コントローラ４１または浴室外コントローラ４２を介してユーザーから応答があるか否かを判定する。そしてステップ１１４で、応答があると確認できれば、ステップ１１１に戻り、水位変動の監視を継続する。
【００９９】
一方、ステップ１１４で、いずれのコントローラからも応答がないことを確認すると、ステップ１１５に進み、制御装置４０は、浴槽８０の水を排水すべく、自動排水栓５０を制御して浴槽８０の排水口を開放し、本フローチャートを終了する。
【０１００】
以下に、入浴状態検出装置がもたらす作用効果について説明する。入浴状態検出装置は、浴槽８０の水位を検出する水位センサ６６と、入浴パターン学習情報を記憶する記憶部４０２と、現在の入浴者に異常が発生しているか否かを判定する判定部４０１とを備える。記憶部４０２は、入浴者がいるときの、浴槽８０の水位上昇量と、入浴開始時刻、入浴終了時刻及び入浴時間の少なくとも一つとを含む入浴者情報を学習して得られる入浴パターン学習情報を記憶する。判定部４０１は、記憶部４０２に記憶されている複数の入浴パターン学習情報の中から、現在入浴している入浴者に適合する入浴パターン学習情報を抽出し、抽出した入浴パターン学習情報に基づいて現在の入浴者に異常が発生していることを判定する。
【０１０１】
これによれば、入浴状態検出装置は、浴槽８０に入浴者がいるときの、浴槽８０の水位上昇量と、入浴開始時刻、入浴終了時刻及び入浴時間の少なくとも一つとを含む入浴者情報を学習して生成される入浴パターン学習情報を記憶する。同じ浴槽を使用するユーザーが複数人である場合には、入浴状態検出装置は、各人に対応する固有の入浴パターン学習情報を記憶することになる。入浴状態検出装置は、入浴者がいるときに、記憶済みの入浴パターン学習情報の中から現在の入浴者に適合する学習情報を抽出し、抽出した学習情報に基づいて、現在の入浴者が異常状態であるか否かを判定する。これにより、浴槽を使用するユーザーが複数人いる場合に、現在の入浴者が異常であるか否かを、その人特有の入浴パターンと比較して判定することができる。
【０１０２】
例えば、記憶部４０２には、浴槽８０に入っているトータル時間、連続入浴時間、入浴終了時刻、水位変化の度合い、水位変化無し時間等の入浴者情報が、入浴パターン学習情報として学習されて記憶される。これらの学習情報はユーザーによって様々であり、入浴状態検出装置は、入浴パターン学習情報からはユーザー個別の入浴時の癖や入浴習慣といった特徴を取得できる。例えば、入浴者が気を失ったり、心肺停止したり、眠ってしまったりした場合には、現在の入浴状態から得られる情報は、過去の入浴実績から得られる入浴パターン学習情報と比較すると、現在の入浴者との大きな違いが生じる。したがって、入浴状態検出装置は、この違いを検出して入浴者が今、異常状態か否かを判定することができる。
【０１０３】
また、記憶部４０２は、水位センサ６６によって検出される水位レベルが入浴前の水位レベル以下になったときの時刻を入浴終了時刻として記憶し、さらに入浴開始から入浴終了までに要した時間を入浴時間として記憶する。さらに記憶部４０２は、入浴前に対する入浴後の水位上昇量を記憶する。そして、記憶部４０２は、当該入浴時間の間に定期的に取得した水位レベルの検出値を用いて算出した水位変化の度合いまたは水位変化無し時間を入浴パターン学習情報として記憶する。
【０１０４】
これによれば、例えば、入浴者が気を失ったり、心肺停止したり、眠ってしまったりした場合について、普段の状態に相当する記憶済みの入浴パターン学習情報と比較することで現在の入浴者との違いを検出できる。判定部４０１は、この入浴パターン学習情報に基づいた判定処理により、入浴者が今、異常状態であることを判定できる。
【０１０５】
また、入浴状態検出装置によれば、過去の入浴者情報から得られる入浴パターン学習情報と比較した判定を実施することにより、ユーザーが身長、体重、性別、年齢等の個人情報を入力しなくても、ユーザーの特徴に則した、異常状態の判定を実施できる。また、ユーザーによるデータ入力の手間を要しない、各ユーザーに特化した判定を実施できる。
【０１０６】
また、記憶部４０２に記憶される複数の入浴パターン学習情報は、入浴者情報を複数の入浴パターンに分類して、複数のグループに分類される学習情報である。制御装置４０は、複数のグループの中から、現在の入浴者から検出される入浴者情報に適合するグループを抽出する（ステップ１０３Ａ）。判定部４０１は、抽出したグループに対応する入浴パターン学習情報に基づいて現在の入浴者に異常が発生しているか否かを判定する（ステップ１０８Ａ、ステップ１０９）。
【０１０７】
これによれば、過去の入浴実績から得られる入浴者情報を記憶し、学習することで、各入浴者情報データの違いに着目して、グループ分けすることができる。グループに分類することで、各ユーザーを少なくともいずれかのグループに所属させて分類することができるので、多数の入浴者情報の特徴を単純化することができる。したがって、次回に実際の入浴者が存在した時に、その入浴者が分類されたどのグループに所属するのかを判別することで、現在の入浴者が複数のユーザーのうちの誰なのかを容易に推定することができ、単純化した処理による異常判定を実現できる。
【０１０８】
また、判定部４０１は、ステップ１０３Ａで抽出したグループに含まれる入浴者情報のうち最も短い入浴時間よりも現在の入浴者の入浴時間が長くなった場合に、現在の入浴者に異常が発生していると判定する（ステップ１０８Ａ、ステップ１０９）。
【０１０９】
これによれば、現在の入浴者の入浴時間を、抽出したグループに含まれる情報の中の最短入浴時間と比較することにより、早めの異常判定を実施することができる。例えば、同じグループに含まれる入浴者情報の中には、学習情報として記憶されている入浴時間が異なるものがある。すなわち、複数の入浴時間が存在し、他よりも短い入浴時間である情報も含まれる。この複数の入浴時間の中から最短の入浴時間を基準にして、異常判定を実施することによれば、その最短入浴時間情報に該当するユーザーが入浴しているときに異常が起こった場合について、確実に検出することができる。したがって、この異常判定処理によれば、安全寄りの異常判定が実施できるため、入浴者の異常状態を早期または確実に検出することが可能である。
【０１１０】
また、判定部４０１が現在の入浴者の異常発生を判定すると、浴室に設置された浴室内コントローラ４１及び浴室外コントローラ４２に対して通報する（ステップ１０９）。浴室内コントローラ４１または浴室外コントローラ４２からの応答がない場合は、浴槽８０内の水を排水する（ステップ１１０、１１４、１１５）。
【０１１１】
これによれば、入浴者に異常等が発生し、入浴者が反応や動作できない場合や、家族等が誰も居ない場合や気がつかない場合には、浴槽の水によって、溺れたりすることを防止することができる。
【０１１２】
また、制御装置４０は、入浴者の異常発生を判定した後、予め定めた一定時間がさらに経過し、浴室内コントローラ４１または浴室外コントローラ４２からの応答がない場合は、浴槽８０内の水を排水する（ステップ１１２Ａ、１１３、１１４、１１５）。
【０１１３】
これによれば、入浴者の異常を判定した後、例えば、入浴者から問題無いとの反応があった場合でも、一定時間をあけて再度の応答がない場合は、自動排水を行う。このように、一旦、入浴者が意識を回復し、その後意識がなくなった場合などにおいて、再度の確認を経た自動排水処理を行うことで、さらに入浴者の安全確保を強化することができる。
【０１１４】
（第２実施形態）
第２実施形態では、第１実施形態の入浴状態検出制御に対する他の実施形態について図６及び図７を参照して説明する。図６において図４と同じステップ番号を付したステップは同様の処理であり、同様の作用効果を奏する。以下に、第１実施形態とは異なる内容についてのみ説明する。
【０１１５】
図６は、すでに記憶されている入浴パターン学習情報を用いた入浴状態検出の処理手順を示したフローチャートである。図７は、図６のステップ１０３Ｂで実行するサブルーチンであって、入浴者情報に関する履歴をコントローラに表示するための処理手順を示している。
【０１１６】
図６に図示するように、ステップ１０３でステップ３と同様に、取得した水位レベルが前回の水位レベルに対して所定値以上上昇していると判定すると、ステップ１０３Ａに進む。ステップ１０３Ａでは、前述したように、記憶部４０２に記憶済みの複数のグループ分類の中から、現在の入浴者に該当する入浴パターン学習情報を判別する処理を実行する。制御装置４０は、現在の入浴者に関する、例えば、水位上昇量、入浴開始時刻、入浴終了時刻、入浴時間等と、記憶部４０２に記憶されている各グループの入浴パターン学習情報とを比較する。制御装置４０は、現在の入浴者に関するデータと記憶済みの学習情報とを比較した結果、現在の入浴者が所属するグループを判別し、後の判定処理で用いる学習パターン候補として抽出する。
【０１１７】
制御装置４０は、このステップ１０３Ａでの処理結果を用いて、次のステップ１０３Ｂの表示ルーチンを実行する。図７に示すように、ステップ３００で制御装置４０は、学習パターン候補として抽出したグループに含まれる入浴者情報を記憶部４０２から読み込む。読み込む入浴者情報は、過去の所定期間における、入浴開始時刻、入浴終了時刻、入浴時間等である。
【０１１８】
作動制御部４００は、次のステップ３０１で、浴室内コントローラ４１の表示部４１０及び浴室外コントローラ４２の表示部４２０に、読み込んだ入浴者情報の履歴を表示する処理を実行する。これにより、浴室及び浴室外のコントローラの表示部４１０、表示部４２０のそれぞれには、過去の所定期間における、入浴開始時刻、入浴終了時刻、入浴時間等の少なくとも一つが表示されることになる。
【０１１９】
入浴者は、浴室内コントローラ４１の表示部４１０を見ることで、例えば、１週間分の入浴開始時刻、入浴終了時刻、入浴時間のそれぞれの履歴を確認することができる。例えば、入浴者は、最近の入浴開始時刻、入浴終了時刻を知ることで自分の生活パターンの一つを確認することができる。入浴者以外の他のユーザーは、浴室外コントローラ４２の表示部４２０を見ることで、例えば、１週間分の入浴開始時刻、入浴終了時刻、入浴時間のそれぞれの履歴を確認することができる。例えば、入浴者以外のユーザーは、入浴者の最近の入浴時間、入浴終了時刻を知ることで、現在の入浴者が浴室から何時頃出てくるのかを推測できる。推測できる時間を過ぎても入浴者が浴室から出てこない場合には、入浴者以外のユーザーが入浴者の状態を確認する行為を行うきっかけとなる。このようにステップ１０３Ｂの表示ルーチンによれば、入浴者が気を失ったり溺れたり等によって危険な状態になることの早期発見を支援することができる。
【０１２０】
これらの履歴は、例えばデジタル数字、棒グラフや折れ線グラフによって、視認可能に表示することができる。また、表示される入浴時間の履歴には、グループに含まれる入浴者情報の中で、最も短い入浴時間であるデータや平均的な入浴時間であるデータを採用する。最も短い時間を採用した場合には、実際の入浴者が入浴から短時間で危険な状態になった場合を早期に検出することが可能になる。
【０１２１】
また、表示される入浴開始時刻の履歴には、グループに含まれる入浴者情報の中で、現在の入浴者が入浴した時刻に近い時刻であるデータを採用する。また、表示される入浴終了時刻の履歴には、グループに含まれる入浴者情報の中で、現在の入浴者が入浴した時刻に近い入浴開始時刻であるデータを抽出し、このように抽出した入浴開始時刻に入浴した場合に対応する入浴終了時刻のデータを採用する。このように、表示する入浴開始時刻や入浴終了時刻を決定することにより、グループに含まれる入浴者情報の中から採用した表示情報が、実際の入浴者に関する情報である確率を高めることができる。
【０１２２】
以上のような入浴者情報を各コントローラの表示部に表示した後、制御装置４０は、ステップ１０４で入浴者の状態を監視する処理を開始し、さらに取得した各種のデータを記憶部４０２に随時記憶する。そして制御装置４０は、前述した図４のステップ１０５以降と同様の処理を順に実行していく。
【０１２３】
第２実施形態によれば、判定部４０１によって抽出されたグループに含まれる入浴者情報のうち、過去の入浴時間、入浴開始時刻、入浴終了時刻の少なくとも一つの履歴を、浴室内コントローラ４１及び浴室外コントローラ４２に表示する。これによれば、入浴者や入浴者以外のユーザーは、自ら特別な操作をすることなく、入浴者に関する過去の入浴時間、入浴開始時刻、入浴終了時刻の少なくとも一つの履歴をコントローラを通して確認することができる。
【０１２４】
（第３実施形態）
第３実施形態では、第２実施形態の入浴状態検出制御に対する他の実施形態について図８及び図９を参照して説明する。図８において図２と同じ番号を付した符号は同じ構成要素であり、同様の作用効果を奏する。図９において図７と同じステップ番号を付したステップは同様の処理であり、同様の作用効果を奏する。以下に、第１実施形態及び第２実施形態とは異なる内容についてのみ説明する。図９は、図６のステップ１０３Ｂで実行するサブルーチンにおける処理手順を示している。
【０１２５】
図９に図示するように、作動制御部４００は、ステップ３０１Ａで浴室内コントローラ４１の表示部４１０及び浴室外コントローラ４２の表示部４２０に、読み込んだ入浴者情報の履歴を表示する処理を実行する。この処理により、浴室及び浴室外のコントローラの表示部４１０、表示部４２０のそれぞれには、過去の所定期間における、入浴開始時刻、入浴終了時刻、入浴時間等が表示されることになる。このときの表示には、少なくとも入浴時間が含まれる。このときにコントローラに表示される入浴時間は、ステップ１０８Ａで判定部４０１によって抽出された最短入浴時間である。この最短入浴時間は、ステップ１０３Ａで抽出されたグループに含まれるユーザーのうち最も入浴が短い人の入浴時間のことである。
【０１２６】
入浴者は、浴室内コントローラ４１の表示部４１０を見ることで、少なくとも最短入浴時間に係る入浴者情報について、例えば、１週間分の入浴時間の履歴を確認することができる。例えば、入浴者は、入浴中の異常有無を判定する際に用いられる最短入浴時間について、浴室内コントローラ４１の表示部４１０を見ることで入浴中に確認することができる。また、入浴者は、入浴前に浴室外コントローラ４２の表示部４２０を見ることで、例えば、入浴前に、入浴中の異常有無を判定する際に用いられる最短入浴時間を確認することができる。
【０１２７】
例えば、入浴者以外のユーザーは、入浴者の最近の入浴時間を知ることで、現在の入浴者が浴室から何時頃出てくるのかを推測できる。かりに推測できる時間を過ぎても入浴者が浴室から出てこない場合には、入浴者以外のユーザーは入浴者の状態を確認する行為を行う動機付けができる。このようにステップ３０１Ａの表示処理によれば、入浴者が気を失ったり溺れたり等によって危険な状態になることの早期発見を支援することができる。
【０１２８】
ステップ３０１Ａで各コントローラの表示部に、少なくとも入浴時間を含む各種履歴情報が表示されると、制御装置４０は、次のステップ３０２で後の異常有無判定に用いる最短入浴時間を変更する指令を取得したか否かを判定する。
【０１２９】
図８に示すように、浴室内コントローラ４１は判定時間変更部４１１を備え、浴室外コントローラ４２は判定時間変更部４２１を備える。判定時間変更部４１１は、判定部４０１が入浴者の異常有無を判定する際に用いる、表示部に表示された最短入浴時間を変更可能な操作手段である。この操作手段は、例えば、時間を長く設定できるボタンと、時間を短く設定できるボタンと、設定した時間を決定するボタンとで構成される。判定時間変更部４２１も判定時間変更部４１１と同様の構成を有する操作手段である。したがって、入浴者や入浴者以外のユーザーは、判定時間変更部４１１や判定時間変更部４２１を操作することで、後の異常有無判定に用いられる最短入浴時間を実効性のある時間に変更することができる。例えば、いつもより長く入浴したい場合や、入浴中に本を読んだり、半身浴をしたりする予定の場合には、判定時間変更部４２１や判定時間変更部４１１を操作して想定できる入浴時間に変更することにより、適切なタイミングで判定を実行できるようになる。
【０１３０】
入浴者や入浴者以外のユーザーによって判定時間変更部４１１や判定時間変更部４２１が操作されない場合は、制御装置４０は、ステップ３０２で最短時間の変更指令を取得しないと判定し、この表示ルーチンを終了し、図６のステップ１０４に進む。この場合は、ステップ１０８Ａやステップ１１２Ａの判定処理において、記憶部４０２に記憶済みの最短入浴時間が用いられることになる。
【０１３１】
判定時間変更部４１１や判定時間変更部４２１が操作されて、変更された最短入浴時間が制御装置４０に入力されると、制御装置４０は、ステップ３０２で最短入浴時間の変更指令を取得したものと判定し、ステップ３０３に進む。ステップ３０３で制御装置４０は、判定部４０１がステップ１０８Ａやステップ１１２Ａでの判定に用いる最短入浴時間を、入浴者等によって変更された最短入浴時間に書き換える処理を実行し、ステップ１０３Ｂの表示ルーチンを終了する。
【０１３２】
以上のようなステップ１０３Ｂの表示ルーチンの処理を実行した後、制御装置４０は、ステップ１０４で入浴者の状態を監視する処理を開始し、さらに取得した各種のデータを記憶部４０２に随時記憶する。そして制御装置４０は、前述した図４のステップ１０５以降と同様の処理を順に実行していく。ステップ３０３で最短入浴時間が変更された場合には、ステップ１０８Ａやステップ１１２Ａの判定処理において、変更後の最短入浴時間が用いられることになる。
【０１３３】
また、入浴者等による判定時間変更部４１１や判定時間変更部４２１の操作によって変更された最短入浴時間は、ステップ１１５の自動排水が行われた場合や図５のフローチャートが終了した場合（入浴終了）に消去される。すなわち、変更された最短入浴時間は、記憶部４０２に記憶されている最短入浴時間を書き換えるものではなく、ステップ１０８Ａやステップ１１２Ａの判定処理で用いる最短入浴時間を一時的に書き換えるものである。
【０１３４】
また、記憶部４０２に記憶されている最短入浴時間を、入浴者等によって変更された最短入浴時間に書き換えて、記憶部４０２の記憶データを更新し、今後の入浴時にステップ１０８Ａやステップ１１２Ａの判定処理で用いる最短入浴時間として用いてもよい。
【０１３５】
第３実施形態によれば、制御装置４０は、浴室内コントローラ４１及び浴室外コントローラ４２に、判定部４０１によって抽出されたグループに含まれる入浴者情報のうち最短の入浴時間を表示する（ステップ３０１Ａ）。浴室内コントローラ４１及び浴室外コントローラ４２のそれぞれは、判定部４０１によって現在の入浴者の異常有無を判定する際に用いられる最短の入浴時間を変更可能な判定時間変更部４１１、判定時間変更部４２１を備える。
【０１３６】
これによれば、入浴者等は、判定時間変更部４１１や判定時間変更部４２１を操作することによって、ステップ１０８Ａやステップ１１２Ａでの判定に用いる最短入浴時間を変更することができる（ステップ３０３）。例えば、これから行う入浴が普段と違う入浴時間になることが分かっている場合に、入浴者等が自ら判定に用いる最短入浴時間を変更することにより、異常状態の誤判定を未然に防止することができる。したがって、異常有無判定の信頼性を高めることが可能な入浴状態検出装置を提供できる。
【０１３７】
（第４実施形態）
第４実施形態では、第１実施形態の入浴状態検出制御に対する他の実施形態について図１０を参照して説明する。図１０において図４及び図６と同じステップ番号を付したステップは同様の処理であり、同様の作用効果を奏する。第４実施形態では、第１実施形態及び第２実施形態とは異なる内容についてのみ説明する。
【０１３８】
図１０は、すでに記憶されている入浴パターン学習情報を用いた入浴状態検出の処理手順を示したフローチャートである。また、図１０のステップ１０３Ｂでは、第２実施形態の図７の表示ルーチンに係るフローチャートまたは第３実施形態の図９の表示ルーチンに係るフローチャートのいずれを実行してもよい。
【０１３９】
第４実施形態の入浴状態検出制御は、ステップ１０４で、入浴前に対する入浴後の水位上昇量、入浴開始時刻、入浴終了時刻、入浴に要した時間、入浴期間における水位上昇量等を記憶部４０２に記憶する。このように、ステップ１０４では、記憶部４０２に、入浴時間の間に定期的に取得した水位レベルの検出値を用いて算出した入浴中の水位上昇量を入浴パターン学習情報として記憶する。
【０１４０】
図１０に図示するように、ステップ１１０で浴室内コントローラ４１または浴室外コントローラ４２を介してユーザーから応答があるか否かを判定し、ステップ１１０で応答があることを確認できれば、ステップ１１１Ａに進む。ステップ１１１Ａで判定部４０１は、水位センサ６６によって検出される水位レベルに所定条件を満たす大きな変動があるか否かを判定する。
【０１４１】
判定部４０１は、例えば、入浴中の水位上昇量が、ステップ１０３Ａで抽出したグループに含まれる水位上昇量よりも所定量以上大きくなる水位増加分を検出したか否かを判定する。この所定量は、通常の入浴中の姿勢、例えば肩まで湯に使っている姿勢から、頭部まで水没した状態になった場合に増加する水位上昇量に設定される。すなわち、入浴中の水位上昇量が、抽出したグループに含まれる水位上昇量よりも所定量以上大きくなると、入浴者が頭部まで湯に浸かった状態であると判断できる。
【０１４２】
制御装置４０は、ステップ１１１Ａで大きな水位変動がないと判定すると、水没の心配はないと判断してステップ１１２Ａに進み、現在の入浴時間が異常状態であると判断できるほど長いか否かを判定する。
【０１４３】
制御装置４０は、ステップ１１１Ａで大きな水位変動があると判定すると、ステップ１１３へ進み、異常発生の旨を浴室内コントローラ４１及び浴室外コントローラ４２に報知する。この報知は、ランプの点灯や点滅だけでなく、警告音、音声等により緊急性を促す形態によって行われる。
【０１４４】
第３実施形態によれば、記憶部４０２は、水位センサ６６によって検出される水位レベルが入浴前の水位レベル以下になったときの時刻を入浴終了時刻として記憶し、さらに入浴開始から入浴終了までに要した時間を入浴時間として記憶する。さらに記憶部４０２は、入浴時間の間に定期的に取得した水位レベルの検出値を用いて算出した入浴中の水位上昇量を入浴パターン学習情報として記憶する。この入浴パターン学習情報は、入浴者情報を複数の入浴パターンに分類して、複数のグループに分類される学習情報である。判定部４０１は、記憶部４０２に記憶されている複数のグループの中から、現在の入浴者から検出される入浴者情報に適合するグループを抽出する（ステップ１０３Ａ）。
【０１４５】
判定部４０１は、現在の入浴者について検出された水位上昇量が抽出したグループに含まれる水位上昇量よりも所定量以上大きくなった場合に、現在の入浴者に異常が発生していると判定する（ステップ１１１Ａ）。さらに制御装置４０は、異常発生の旨を浴室内コントローラ４１及び浴室外コントローラ４２に報知する（ステップ１１３）。
【０１４６】
これによれば、現在の入浴者について検出している水位上昇量が、抽出したグループに含まれる水位上昇量を所定量以上超えている場合、すなわち、大幅な水位上昇が検出された場合には、何らかの異常が発生していると判定する。例えば、入浴中に姿勢の変化があり、身体が深く水没したと判断する。このような状況であれば、溺れた可能性があるため、制御装置４０は、浴室内コントローラ４１及び浴室外コントローラ４２に通報し、入浴者の状態を確認する行為を促すことができる。
【０１４７】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【０１４８】
前述の実施形態において、図４のステップのうち、図３のフローチャートにおけるステップに付した番号に対して、一の位または十の位の数字が同じで、百の位の数字に１を追加した番号に該当する各ステップは、図３に示すステップと同様の処理が行われる。また、図４の該当するステップは、そのステップの技術的意義、作用効果も図３に示すステップと同様である。
【０１４９】
また、入浴状態検出装置の他の例として、浴室温度と浴室外温度との差、浴室温度と浴槽水温度との差、浴室外温度と浴槽水温度との差等が、所定値よりも大きい場合に、浴室内コントローラ４１や浴室外コントローラ４２に注意喚起の表示を行ってもよい。このようなケースでは、入浴者の健康状態に異常が生じやすいと判断し、入浴者や入浴者以外のユーザーに対して、注意を促すことができる。
【０１５０】
また、前述の実施形態の、コントローラへの正常確認通報（ステップ１０９）やコントローラへの警告通報（ステップ１１３）は、早めに実施できるようにしてもよい。制御装置４０は、例えば、ステップ１０９やステップ１１３へ進む判定を早くするために、学習パターン候補に含まれる最短入浴時間を短い時間に補正し、補正した最短入浴時間を用いて前のステップの判定処理を実行することができる。
【０１５１】
前述の実施形態において、現在の入浴者に該当する入浴パターン学習情報を判別する処理（ステップ１０３Ａ）を行う場合に、入浴者情報を比較することに加え、さらに判別精度を向上させるために、以下のような判別材料を用いるようにしてもよい。例えば、カメラによって入浴者の画像データを取得し、取得した画像データと記憶済みの画像データとを画像解析することにより、似たような体格の入浴者を精度よく判別することを実現する。また、荷重センサによる体重検出を加えることによって、水位センサの検出値を用いた入浴者判別の精度向上を図るようにしてもよい。
【符号の説明】
【０１５２】
４０…制御装置
４１…浴室内コントローラ
４２…浴室外コントローラ
６６…水位センサ（水位検出手段）
８０…浴槽
４０１…判定部
４０２…記憶部
【図１】
2015207282.tif 000003
【図２】
2015207282.tif 000004
【図３】
2015207282.tif 000005
【図４】
2015207282.tif 000006
【図５】
2015207282.tif 000007
【図６】
2015207282.tif 000008
【図７】
2015207282.tif 000009
【図８】
2015207282.tif 000010
【図９】
2015207282.tif 000011
【図１０】
2015207282.tif 000012